(57)【要約】【課題】短時間で運転情報の転送を完了することができる空気調和機を提供する【解決手段】空気調和機１は、室外機２０および室内機１０を含む構成とされ、室外機２０と室内機１０との間で情報を転送する転送路３０と、室外機２０に設けられ、運転中の運転情報を集積する運転情報集積部２１と、室内機１０に設けられ、室外機２０から転送された運転情報を保存する情報保存部１１とを備える。運転情報集積部２１は、異常が発生して室外機２０が停止した際、情報保存部１１への運転情報の異常時転送を実施する。異常時転送での転送速度は、通常時の転送速度より速い。【選択図】図２
2019219071.tif 000002
【特許請求の範囲】
【請求項１】
室外機および室内機を含む空気調和機であって、
前記室外機と前記室内機との間で情報を転送する転送路と、
前記室外機に設けられ、運転中の運転情報を集積する運転情報集積部と、
前記室内機に設けられ、前記室外機から転送された前記運転情報を保存する情報保存部とを備え、
前記運転情報集積部は、異常が発生して前記室外機が停止した際、前記情報保存部への前記運転情報の異常時転送を実施し、
前記異常時転送での転送速度は、通常時の転送速度より速いこと
を特徴とする空気調和機。
【請求項２】
請求項１に記載の空気調和機であって、
前記運転情報集積部は、前記運転情報を上書きして、予め設定された設定時間分の該運転情報を記憶すること
を特徴とする空気調和機。
【請求項３】
請求項１に記載の空気調和機であって、
前記運転情報集積部では、前記運転情報に対して、予め設定時間を設定しており、
前記運転情報集積部は、前記異常時転送の際、集積した運転情報のうち、最新の運転情報を前記設定時間分だけ抽出して転送すること
を特徴とする空気調和機。
【請求項４】
請求項１から請求項３までのいずれか１つに記載の空気調和機であって、
前記室内機は、前記情報保存部に保存された前記運転情報を外部に出力する情報出力部を備えること
を特徴とする空気調和機。
【請求項５】
請求項１から請求項４までのいずれか１つに記載の空気調和機であって、
前記室外機は、動作を制御する室外制御部が設けられ、
前記運転情報集積部と前記室外制御部とは、同じ電源から電力が供給されていること
を特徴とする空気調和機。
【発明の詳細な説明】
【技術分野】
【０００１】
本発明は、室外機および室内機を含む空気調和機に関する。
【背景技術】
【０００２】
一般的に、空気調和機は、屋内に設置される室内機と、屋外に設置される室外機とを組み合わせた構成が広く普及している。上述した構成において、室外機に故障が発生した際には、室内機に搭載されたＬＥＤなどでエラーを表示しており、ユーザ（作業員）は、室内機の表示によって故障診断を行っていた。しかし、エラー停止した結果だけの表示では、原因特定が難しいので、詳細な情報を取得する方法が望まれていた。そして、空気調和機の異常解析では、各部の動作状況を把握することが有効であるので、運転中の運転データを収集する空気調和機が提案されている（特許文献１および特許文献２参照）。
【先行技術文献】
【特許文献】
【０００３】
【特許文献１】特許第３３２８８７０号
【特許文献２】特許第４４２７８００号
【発明の概要】
【発明が解決しようとする課題】
【０００４】
特許文献１に記載の空気調和機は、室外ユニットと、室内ユニットと、室外ユニットに搭載された室外制御装置と、室内ユニットに搭載された室内制御装置とを備えている。室外制御装置と室内制御装置とは、通信線を介してデータ通信しており、通信線にデータ読み出し装置が接続されている。空気調和機の運転情報データは、記憶メモリに記憶され、不揮発性メモリに保存される。空気調和機の運転中には、記憶メモリに運転情報データが、所定に時間間隔でサイクリックに書き込まれ、異常が発生した場合は、記憶メモリの内容を不揮発性メモリに転送して保存し、保存された内容をデータ読み出し装置へ送信する。上述した空気調和機では、通信線を介して運転情報データを送信しているが、詳細な内容を記録すると、運転情報データの容量が大きくなり、データの送信に時間がかかるという問題がある。
【０００５】
特許文献２に記載の空気調和装置は、室外機および室内機を含む構成とされ、室外機の制御基板と室内機の制御基板との間で運転データを伝送する伝送路に接続された処理手段と、処理手段に接続された揮発性メモリおよび不揮発性メモリと、空気調和装置の電源電圧の波形を検出する電圧波形計測手段と、処理手段と揮発性メモリと不揮発性メモリとの制御電源とを備えている。処理手段は、伝送路から取り込んだ運転データと電源電圧の波形とを、時間情報を付して揮発性メモリに記録させ、異常を検知したとき、揮発性メモリに記録された内容を不揮発性メモリに転送させる。制御電源は、運転データおよび電源電圧の波形を、不揮発性メモリに転送させる処理に必要な電力を蓄電する蓄電手段を備えている。上述した空気調和装置では、電源が遮断された場合の対策は講じられているが、データの送信に係る時間は考慮されていない。
【０００６】
本発明は、上記の課題を解決するためになされたものであり、短時間で運転情報の転送を完了することができる空気調和機を提供することを目的とする。
【課題を解決するための手段】
【０００７】
本発明に係る空気調和機は、室外機および室内機を含む空気調和機であって、前記室外機と前記室内機との間で情報を転送する転送路と、前記室外機に設けられ、運転中の運転情報を集積する運転情報集積部と、前記室内機に設けられ、前記室外機から転送された前記運転情報を保存する情報保存部とを備え、前記運転情報集積部は、異常が発生して前記室外機が停止した際、前記情報保存部への前記運転情報の異常時転送を実施し、前記異常時転送での転送速度は、通常時の転送速度より速いことを特徴とする。
【０００８】
本発明に係る空気調和機では、前記運転情報集積部は、前記運転情報を上書きして、予め設定された設定時間分の該運転情報を記憶する構成としてもよい。
【０００９】
本発明に係る空気調和機は、前記運転情報集積部では、前記運転情報に対して、予め設定時間を設定しており、前記運転情報集積部は、前記異常時転送の際、集積した運転情報のうち、最新の運転情報を前記設定時間分だけ抽出して転送する構成としてもよい。
【００１０】
本発明に係る空気調和機では、前記室内機は、前記情報保存部に保存された前記運転情報を外部に出力する情報出力部を備える構成としてもよい。
【００１１】
本発明に係る空気調和機では、前記室外機は、動作を制御する室外制御部が設けられ、前記運転情報集積部と前記室外制御部とは、同じ電源から電力が供給されている構成としてもよい。
【発明の効果】
【００１２】
本発明によると、運転情報の容量が大きくなると室内機への転送に時間がかかるが、室外機が停止した際には、ノイズ等の影響が小さくなるので、高速で転送を行うことにより、短時間で運転情報の転送を完了することができる。
【図面の簡単な説明】
【００１３】
【図１】本発明の第１実施形態に係る空気調和機の概略を示す概略外観図である。
【図２】本発明の第１実施形態に係る空気調和機の概略構成図である。
【発明を実施するための形態】
【００１４】
（第１実施形態）
以下、本発明の第１実施形態に係る空気調和機について、図面を参照して説明する。
【００１５】
図１は、本発明の第１実施形態に係る空気調和機の概略を示す概略外観図である。
【００１６】
本発明の第１実施形態に係る空気調和機１は、室内機１０および室外機２０を含む構成とされている。室内機１０は、屋内に設置され、室外機２０は、屋外に設置され、両者は配管（図示しない）などによって接続され、両者の間で熱の移動を行う。また、室内機１０および室外機２０は、両者の間で情報を転送する転送路３０に接続されている。
【００１７】
図２は、本発明の第１実施形態に係る空気調和機の概略構成図である。なお、図２において、室内機１０および室外機２０については、本発明における主要な部分だけを抽出して示しており、図示しない部品などを備えていてもよい。
【００１８】
室外機２０は、運転情報集積部２１、室外制御部２２、電源２３、および室外情報出力部２４を含む構成とされている。なお、図示しないが、室外機２０は、上述したものの他、コンプレッサー、ファン、およびサーミスタといった部品を備えている。
【００１９】
運転情報集積部２１は、運転中の運転情報を集積している。具体的に、運転情報は、コンプレッサーの回転数、ファンの回転数、およびサーミスタで測定した温度などである。集積した運転情報は、運転情報集積部２１に設けられたメモリに記憶される。なお、運転情報は、上述した事項だけに限らず、室外機２０の運転状況に関連するデータであればよい。
【００２０】
室外制御部２２は、室外機２０の動作を制御しており、例えば、室外機２０に搭載されたＣＰＵである。また、室外制御部２２は、室外機２０に異常が発生しているかどうかを判定する。異常の判定は、例えば、運転情報として集積している事項であって、予め設定された条件を満たしたとき、異常が発生したと判定する。
【００２１】
電源２３は、運転情報集積部２１および室外制御部２２に電力を供給している。つまり、運転情報集積部２１および室外制御部２２は、同一の電源２３で電力が賄われているので、室外機２０を簡素な構成とすることができる。
【００２２】
室内機１０は、情報保存部１１および情報出力部１２を含む構成とされている。なお、図示しないが、室内機１０は、上述したものの他、電源やファンなどの部品を備えている。
【００２３】
情報保存部１１は、転送路３０を介して室外機２０から転送された運転情報を保存する。情報出力部１２は、情報保存部１１に保存された運転情報を外部に出力する。情報出力部１２は、例えば、コネクタなどとされ、ケーブル等を接続して、有線で運転情報を出力する構成としてもよいし、信号等を送信して、無線で運転情報を出力する構成としてもよい。このように、ユーザの手が届きやすい室内機１０に情報出力部１２を設けることで、運転情報の取り出しを容易に行うことができる。
【００２４】
室外機２０においては、屋外に設置されていることから、風雨にさらされたりするなど、過酷な環境で利用されているため、室内機１０よりも故障が生じる割合が高い。故障の原因分析においては、室外機２０の動作状況を示す運転情報を解析することが有効である。しかし、室外機２０は、例えば、高所や閉鎖された環境など、設置状況によっては、ユーザが容易に手を触れることができない場合がある。これに対し、室内機１０は、人間が活動する空間に設置されるので、ユーザにとって身近な場所に設けられている。そこで、室外機２０に異常が発生した際には、室外制御部２２によって、各部の動作を停止するように制御され、運転情報集積部２１は、情報保存部１１への運転情報の異常時転送を実施する。
【００２５】
空気調和機１では、通常時にも、転送路３０を介して室外機２０と室内機１０との間で、相互に情報（信号）を送受信するシリアル通信を行っている。室外機２０において、通常時は、各部が動作しており、コンプレッサーやファンなどの振動が、シリアル通信におけるノイズを生じさせている。そのため、空気調和機１の通常時における通信では、転送速度を遅くすることで、ノイズの影響を受けないようにしている。
【００２６】
上述した異常時転送では、通常時の転送速度よりも速い転送速度に設定されている。つまり、異常時では、各部の動作が停止しているので、ノイズの影響が小さくなり、情報の転送を円滑に行うことができる。従って、運転情報の容量が大きくなると室内機１０への転送に時間がかかるが、室外機２０が停止した際には、ノイズ等の影響が小さくなるので、高速で転送を行うことにより、短時間で運転情報の転送を完了することができる。
【００２７】
運転情報は、室内機１０からの出力だけに限定されず、室外機２０からも出力することができる。具体的に、室外機２０に設けられた室外情報出力部２４は、運転情報集積部２１に保存された運転情報を外部に出力する。ところで、室外機２０においては、通常、屋外などに設置されるので、風雨などによる影響を避けるため、コネクタなどの接続部は、内部に収納されている。そのため、室外機２０から運転情報を出力する際は、室外機２０を分解する必要があり、運転情報の出力は、通常、室内機１０から行われる。そして、室外情報出力部２４を用いた運転情報の出力は、室内機１０が故障している場合や、室内機１０と室外機２０とを接続する転送路３０が故障している場合などに行われる。
【００２８】
（第２実施形態）
次に、本発明の第２実施形態に係る空気調和機について説明する。なお、第２実施形態は、第１実施形態に対して、略同様の構成とされているので、図面を省略する。
【００２９】
本発明の第２実施形態に係る空気調和機１において、運転情報集積部２１は、運転情報を上書きして、予め設定された設定時間分の運転情報を記憶する構成とされている。本実施の形態では、設定時間が、最大１０分間に設定されており、随時、古い運転情報を削除して、新しい運転情報に更新している。異常時転送の際には、エラー停止前の１０分間の運転情報を室内機１０側へ転送する。このように、運転情報の更新を行うことで、容量の増加を抑えつつ、故障の原因分析に必要な運転情報を記憶することができる。
【００３０】
（第３実施形態）
次に、本発明の第３実施形態に係る空気調和機について説明する。なお、第２実施形態は、第１実施形態に対して、略同様の構成とされているので、図面を省略する。
【００３１】
本発明の第３実施形態に係る空気調和機１において、運転情報集積部２１は、異常時転送の際、集積した運転情報のうち、最新の運転情報を設定時間分だけ抽出して転送する。つまり、第２実施形態では、運転情報集積部２１に記憶させる運転情報の容量を制限していたが、第３実施形態では、室内機１０側へ転送する運転情報の容量を制限している。このように、運転情報を抽出して転送することで、容量の増加を抑えつつ、故障の原因分析に必要な運転情報を記憶することができる。
【００３２】
なお、今回開示した実施の形態は全ての点で例示であって、限定的な解釈の根拠となるものではない。従って、本発明の技術的範囲は、上記した実施の形態のみによって解釈されるものではなく、特許請求の範囲の記載に基づいて画定される。また、特許請求の範囲と均等の意味および範囲内での全ての変更が含まれる。
【符号の説明】
【００３３】
１  空気調和機
１０  室内機
１１  情報保存部
１２  情報出力部
２０  室外機
２１  運転情報集積部
２２  室外制御部
２３  電源
２４  室外情報出力部
３０  転送路
【図１】
2019219071.tif 000003
【図２】
2019219071.tif 000004